(57)【要約】【課題】  リアルタイムで工程の進捗状況の確認をすることができるプロジェクト管理装置を提供する。【解決手段】  プロジェクト管理装置は、表示装置５６に、工程一覧８０と作業一覧１００とを表示する。工程一覧８０のうち、すべての作業が完了した工程を示すアイコン８２および８４については、その下位置に工程完了日が表示されている。また、仕掛かり中の工程を示すアイコン８６の下位置９８には、当該工程の完了予定日が点滅表示されている。また、現在選択されている作業「構想設計着手」の作業一覧１００については、完了した作業については作業完了日が表示され、完了していないものについては、「完了日」欄１４２に作業完了予定日が点滅表示される。【選択図】      図１４
2005148869.tif 000002
【特許請求の範囲】
【請求項１】
プロジェクトの進行状況を管理するプロジェクト管理装置であって、
プロジェクトを構成する複数の工程にそれぞれ対応する複数の標章を表示する工程標章表示手段と、
前記複数の工程のうち、すべての作業が終了した工程については、当該工程に対応する前記標章と工程完了日とを対応付けて表示する工程完了日表示手段とを備える
ことを特徴とするプロジェクト管理装置。
【請求項２】
さらに、前記複数の工程のうち、作業に着手した工程に関しては、当該工程に対応する前記標章と工程着手日とを対応付けて表示する工程着手日表示手段とを備える
ことを特徴とする請求項１に記載のプロジェクト管理装置。
【請求項３】
前記工程完了日表示手段は、前記複数の工程のうち、すべての作業が終了した工程については、当該工程に対応する前記標章の下位置に工程完了日を表示する
ことを特徴とする請求項１または２に記載のプロジェクト管理装置。
【請求項４】
前記工程着手日表示手段は、さらに、前記複数の工程のうち、作業に着手した工程に関しては、当該工程に対応する前記標章の上位置に工程着手日を表示する
ことを特徴とする請求項３に記載のプロジェクト管理装置。
【請求項５】
前記工程標章表示手段は、前記工程の進捗状況に応じて前記標章の表示態様を異ならせる
ことを特徴とする請求項１〜４のいずれか１項に記載のプロジェクト管理装置。
【請求項６】
前記工程標章表示手段は、未着手の工程に対応する標章と、仕掛かり中の工程に対応する標章と、作業が完了した工程に対応する標章とをそれぞれ異なる表示態様で表示する
ことを特徴とする請求項５に記載のプロジェクト管理装置。
【請求項７】
前記工程標章表示手段は、未着手の工程に対応する標章と、仕掛かり中の工程に対応する標章と、作業が完了した工程に対応する標章とをそれぞれ異なる色で表示する
ことを特徴とする請求項６に記載のプロジェクト管理装置。
【請求項８】
前記工程標章表示手段は、仕掛かり中の工程に対応する標章と、それ以外の工程に対応する標章とをそれぞれ異なる表示態様で表示する
ことを特徴とする請求項５に記載のプロジェクト管理装置。
【請求項９】
前記工程標章表示手段は、仕掛かり中の工程に対応する標章と、それ以外の工程に対応する標章とをそれぞれ異なる色で表示する
ことを特徴とする請求項８に記載のプロジェクト管理装置。
【請求項１０】
前記工程標章表示手段は、仕掛かり中の工程に対応する標章と、それ以外の工程に対応する標章とを補色の関係にあるそれぞれ異なる色で表示する
ことを特徴とする請求項９に記載のプロジェクト管理装置。
【請求項１１】
さらに、前記複数の工程のうち、仕掛かり中の工程については、当該工程を構成する作業の標準工数を用いて工程完了予定日を予測する工程完了予定日予測手段と、
予測された前記工程完了予定日を前記工程完了日とは異なる表示態様で当該工程に対応する前記標章と対応付けて表示する工程完了予定日表示手段とを備える
ことを特徴とする請求項１〜１０のいずれか１項に記載のプロジェクト管理装置。
【請求項１２】
前記工程完了予定日予測手段は、仕掛かり中の工程を構成する作業のうち、すでに完了している同一の作業が存在する場合には、前記同一の作業の標準工数および実績を用いて、前記仕掛かり中の工程を構成する作業の標準工数を補正し、工程完了予定日を予測する
ことを特徴とする請求項１１に記載のプロジェクト管理装置。
【請求項１３】
前記工程完了予定日表示手段は、前記工程完了予定日を点滅表示させる
ことを特徴とする請求項１１または１２に記載のプロジェクト管理装置。
【請求項１４】
さらに、前記複数の工程のいずれかの選択を受付ける選択受付手段と、
選択された工程を構成する作業の一覧を前記複数の標章と同時に表示する作業一覧表示手段とを備える
ことを特徴とする請求項１〜１３のいずれかに記載のプロジェクト管理装置。
【請求項１５】
さらに、前記選択受付手段で選択された工程に対応する標章を他の工程に対応する標章とは異なる表示態様で表示する選択工程表示手段を備える
ことを特徴とする請求項１４に記載のプロジェクト管理装置。
【請求項１６】
前記選択工程表示手段は、前記選択された工程に対応する標章の枠を前記他の工程に対応する標章の枠よりも太くして表示する
ことを特徴とする請求項１５に記載のプロジェクト管理装置。
【請求項１７】
前記作業一覧表示手段は、各作業の作業名と完了している作業に関しては作業完了日とを少なくとも表示する
ことを特徴とする請求項１３〜１６のいずれか１項に記載のプロジェクト管理装置。
【請求項１８】
さらに、各作業の作業完了予定日を当該作業の標準工数を用いて予測する作業完了予定日予測手段と、
予測された前記作業完了予定日を前記作業完了日とは異なる表示態様で表示する作業完了予定日表示手段とを備える
ことを特徴とする請求項１７に記載のプロジェクト管理装置。
【請求項１９】
前記作業完了予定日予測手段は、各作業のうち、すでに完了している同一の作業が存在する場合には、前記同一の作業の標準工数および実績を用いて、各作業の標準工数を補正し、作業完了予定日を予測する
ことを特徴とする請求項１８に記載のプロジェクト管理装置。
【請求項２０】
前記作業完了予定日表示手段は、前記作業完了予定日を点滅表示させる
ことを特徴とする請求項１８または１９に記載のプロジェクト管理装置。
【請求項２１】
コンピュータを請求項１〜２０のいずれか１項に記載のプロジェクト管理装置の各手段として機能させるためのプログラム。
【請求項２２】
コンピュータを請求項１〜２０のいずれか１項に記載のプロジェクト管理装置の各手段として機能させるためのプログラムを記録したコンピュータ読取可能な記録媒体。
【請求項２３】
プロジェクトの進行状況を管理するプロジェクト管理方法であって、
プロジェクトを構成する複数の工程にそれぞれ対応する複数の標章を表示する工程標章表示ステップと、
前記複数の工程のうち、すべての作業が終了した工程については、当該工程に対応する前記標章と工程完了日とを対応付けて表示する工程完了日表示ステップとを含む
ことを特徴とするプロジェクト管理方法。
【発明の詳細な説明】
【技術分野】
【０００１】
本発明は、プロジェクト管理装置に関し、特に、一瞥してプロジェクトの進捗状況を把握可能なプロジェクト管理装置に関する。
【背景技術】
【０００２】
従来、製品開発などのプロジェクトにおいて、各種工程の進捗管理を行なうプロジェクト管理システムが種々提案されている（例えば、特許文献１参照。）。
特許文献１に開示されているプロジェクト管理システムは、工程等の進捗状況の管理をリアルタイムで行ない、各種データベースに反映させている。これにより、リアルタイムで工程の進捗状況の確認ができるとされている。
【０００３】
その他、ガントチャートを用いて工程の進捗状況を確認する方法も知られている。
【特許文献１】特開２００２−７３９３４号公報
【発明の開示】
【発明が解決しようとする課題】
【０００４】
しかしながら、特許文献１に開示のプロジェクト管理装置では、リアルタイムで工程の進捗状況の確認ができるとの記載はあるものの、具体的な確認方法については開示されていない。
また、ガントチャートを用いた工程の進捗状況の確認方法では、各種工程が階層構造をなしている場合には、その関連性をリアルタイムで確認することが困難であるという問題がある。
【０００５】
本発明は、上述の問題点に鑑みてなされたもので、リアルタイムで工程の進捗状況の確認をすることができるプロジェクト管理装置を提供することを第１の目的とする。
また、各種工程が階層構造をなしている場合であっても、その関連性をリアルタイムで確認することができるプロジェクト管理装置を提供することを第２の目的とする。
【課題を解決するための手段】
【０００６】
上記目的を達成するために、本発明に係るプロジェクト管理装置は、プロジェクトの進行状況を管理するプロジェクト管理装置であって、プロジェクトを構成する複数の工程にそれぞれ対応する複数の標章を表示する工程標章表示手段と、前記複数の工程のうち、すべての作業が終了した工程については、当該工程に対応する前記標章と工程完了日とを対応付けて表示する工程完了日表示手段とを備える。
【０００７】
すべての作業が完了した工程については、工程に対応する標章と工程完了日とが対応付けられて表示される。このため、ユーザは、工程完了日が付されている標章に対応する工程については作業が完了しており、それ以外の標章に対応する工程については作業が未完了であるとの認識をすることができる。また、作業が完了している工程に関しては、いつ作業が完了したかをも簡単に知ることができる。このため、リアルタイムで工程の進捗状況の確認をすることができるプロジェクト管理装置を提供することができる。
【０００８】
好ましくは、上述のプロジェクト管理装置は、さらに、前記複数の工程のうち、作業に着手した工程に関しては、当該工程に対応する前記標章と工程着手日とを対応付けて表示する工程着手日表示手段とを備える。
これにより、ユーザは、工程の作業に着手した日付をも知ることができる。また、工程着手日が表示されているものの工程完了日が表示されていない標章に対応する工程については、仕掛かり中であるとの認識をすることができる。
【０００９】
さらに好ましくは、前記工程標章表示手段は、前記工程の進捗状況に応じて前記標章の表示態様を異ならせる。
これにより、ユーザは、工程の進捗状況を一瞥しただけで認識することができる。
さらに好ましくは、上述のプロジェクト管理装置は、さらに、前記複数の工程のうち、仕掛かり中の工程については、当該工程を構成する作業の標準工数を用いて工程完了予定日を予測する工程完了予定日予測手段と、予測された前記工程完了予定日を前記工程完了日とは異なる表示態様で当該工程に対応する前記標章と対応付けて表示する工程完了予定日表示手段とを備える。
これにより、ユーザは、仕掛かり中の工程についてはいつ頃終わりそうかをリアルタイムで知ることができる。また、工程完了予定日と工程完了日との表示態様を異ならせるようにしている。このため、ユーザは、工程完了予定日と工程完了日とを見間違うこともなくなる。
【００１０】
さらに好ましくは、前記工程完了予定日予測手段は、仕掛かり中の工程を構成する作業のうち、すでに完了している同一の作業が存在する場合には、前記同一の作業の標準工数および実績を用いて、前記仕掛かり中の工程を構成する作業の標準工数を補正し、工程完了予定日を予測する。
【００１１】
過去の実績から標準工数を補正することにより、より正確な工程完了予定日を予測することが可能になる。
さらに好ましくは、上述のプロジェクト管理装置は、さらに、前記複数の工程のいずれかの選択を受付ける選択受付手段と、選択された工程を構成する作業の一覧を前記複数の標章と同時に表示する作業一覧表示手段とを備える。
【００１２】
選択された工程を構成する作業の一覧が複数の工程にそれぞれ対応する複数の標章と同時に表示される。このため、各種工程が階層構造をなしている場合であっても、その関連性をリアルタイムで確認することができるプロジェクト管理装置を提供することができる。また、上述のプロジェクト管理装置は、さらに、前記選択受付手段で選択された工程に対応する標章を他の工程に対応する標章とは異なる表示態様で表示する選択工程表示手段を備えていてもよい。このようにすることにより、選択された工程を明確にすることができる。
【００１３】
さらに好ましくは、前記作業一覧表示手段は、各作業の作業名と完了している作業に関しては作業完了日とを少なくとも表示する。
作業が完了しているものについては、作業完了日を表示するようにしている。このため、ユーザは、作業完了日が表示されている作業に対しては、当該作業が完了しており、それ以外の作業に関しては未完了であるとの認識をすることができる。また、作業が完了したものについては、いつ作業が完了したかをしることができる。これにより、各作業の進捗状況を把握することができる。
【００１４】
さらに好ましくは、上述のプロジェクト管理装置は、さらに、各作業の作業完了予定日を当該作業の標準工数を用いて予測する作業完了予定日予測手段と、予測された前記作業完了予定日を前記作業完了日とは異なる表示態様で表示する作業完了予定日表示手段とを備える。
これにより、ユーザは、作業がいつ頃終わりそうかをリアルタイムで知ることができる。また、作業完了予定日と作業完了日との表示態様を異ならせるようにしている。このため、ユーザは、作業完了予定日と作業完了日とを見間違うこともなくなる。
【００１５】
さらに好ましくは、前記作業完了予定日予測手段は、各作業のうち、すでに完了している同一の作業が存在する場合には、前記同一の作業の標準工数および実績を用いて、各作業の標準工数を補正し、作業完了予定日を予測する。
過去の実績から標準工数を補正することにより、より正確な作業完了予定日を予測することが可能になる。
【００１６】
なお、本発明は、このようなプロジェクト管理装置として実現することができるだけでなく、プロジェクト管理装置の特徴的な手段をステップとするプロジェクト管理方法として実現したり、コンピュータをプロジェクト管理装置の各手段として機能させるプログラムとして実現したりすることもできる。そして、そのようなプログラムは、ＣＤ−ＲＯＭ等の記録媒体やインターネット等の伝送媒体を介して流通させることができるのは言うまでもない。
【発明の効果】
【００１７】
本発明によると、リアルタイムで工程の進捗状況の確認をすることができるプロジェクト管理装置を提供することができる。
また、各種工程が階層構造をなしている場合であっても、その関連性をリアルタイムで確認することができるプロジェクト管理装置を提供することができる。
以上のように本発明に係るプロジェクト管理装置により、ユーザは効率的にプロジェクトの進捗状況を確認することができる。このようなプロジェクト管理装置は、製品製造プロジェクトの進捗状況管理以外にも、仕事の進捗状況管理や、学習の進捗状況管理など幅広い分野に応用可能であり、その実用的価値は極めて高い。
【発明を実施するための最良の形態】
【００１８】
以下、図面を参照しながら本発明の実施の形態に係るプロジェクト管理システムについて説明する。
図１は、プロジェクト管理システムのハードウェア構成を示す図である。プロジェクト管理システム２０は、各種プロジェクトの進捗状況を管理するためのシステムであり、プロジェクト管理装置２２と、端末装置２４とを備えている。
【００１９】
プロジェクト管理装置２２は、プロジェクトの進捗状況を管理するための装置であり、その内部にプロジェクト管理データベース２８と文書管理データベース３０とを有している。プロジェクト管理データベース２８は、プロジェクトの進捗状況を示す各種データを記憶する装置である。文書管理データベース３０は、プロジェクトの進行に伴い作成される文書を記憶する装置である。プロジェクト管理装置２２は、パーソナルコンピュータ等の通常のコンピュータにより構成される。プロジェクト管理データベース２８および文書管理データベース３０は、上述のコンピュータ内のハードディスクなどにより構成される。
【００２０】
端末装置２４は、ネットワーク２６を介してプロジェクト管理装置２２に接続され、プロジェクト管理装置２２で提供されるプロジェクト管理に関する各種処理を利用するための装置である。端末装置２４は、プロジェクト管理装置２２と同様に、パーソナルコンピュータ等の通常のコンピュータにより構成される。
【００２１】
図２は、プロジェクト管理装置２２の構成を示す機能ブロック図である。プロジェクト管理装置２２は、入力装置４２と、プロジェクトコード別工程管理部４４と、工程進捗管理部４６と、作業進捗管理部４８と、文書管理部５０と、文書作成アプリケーション実行部５２と、進捗表示部５４と、表示装置５６と、プロジェクト管理データベース２８と、文書管理データベース３０とを備えている。
【００２２】
入力装置４２は、プロジェクト管理装置２２に各種データを入力するための装置であり、キーボードやマウス等により構成される。
プロジェクトコード別工程管理部４４は、プロジェクトコード（「プロジェクトＩＤ」ともいう。）が入力装置４２より入力された際に、そのプロジェクトコードに対応するプロジェクトを構成する工程に関する情報をプロジェクト管理データベース２８より読み出し、工程進捗管理部４６に出力する。
【００２３】
工程進捗管理部４６は、プロジェクトコード別工程管理部４４より出力された上記プロジェクトを構成する工程のうち、入力装置４２により指定された工程に関する進捗状況を管理し、プロジェクト管理データベース２８に登録する。また、工程進捗管理部４６は、当該工程の進捗状況を進捗表示部５４に出力する。
作業進捗管理部４８は、工程進捗管理部４６が管理する工程を構成する作業に関する進捗状況を管理し、プロジェクト管理データベース２８に登録する。また、作業進捗管理部４８は、当該作業に関する進捗状況を進捗表示部５４に出力する。
【００２４】
文書管理部５０は、各作業で作成される文書の作成状況および作成された文書に対する承認状況を管理し、プロジェクト管理データベース２８に登録する。
文書作成アプリケーション実行部５２は、文書作成のアプリケーションソフトウェアを実行するための処理部であり、作成または更新された文書を文書管理データベース３０に格納する。
【００２５】
進捗表示部５４は、工程進捗管理部４６および作業進捗管理部４８より出力される工程および作業に関する進捗状況を表示装置５６に表示させる。
表示装置５６は、液晶ディスプレイやＣＲＴ（Cathode-Ray Tube）ディスプレイなどにより構成される。
【００２６】
図３は、プロジェクト管理装置２２において管理されるプロジェクトについて説明するための図である。プロジェクト管理装置２２は、複数のプロジェクト（プロジェクトＩＤ「ＰＲＯ００１」や「ＰＲＯ００３」）などのプロジェクトを管理し、各プロジェクトは１つ以上の工程より構成される。また、各工程は１つ以上の作業より構成される。
【００２７】
例えば、プロジェクトＩＤ「ＰＲＯ００１」のプロジェクトは、「企画着手」、「企画決定」、「構想設計着手」、「構想設計」、「一次試作」および「量産試作」の６つの工程より構成され、それぞれの工程には「００１」から「００６」までの工程ＩＤが付されている。
また、工程ＩＤ「００３」の工程「構想設計着手」は、「新部品リスト」、「新項目対策一覧表」、「要求事項整理表」および「ＱＭ推進計画書」の４つの作業（文書作成作業の場合には文書名）より構成され、それぞれの作業には「０３１」から「０３４」までの作業ＩＤが付されている。
このように、各プロジェクトは階層構造をなしている。
【００２８】
図４は、各工程の進捗状況を管理するための工程リストの一例を示す図である。工程リスト６０は、２次元配列のデータであり、各工程の着手日および完了日を管理するためのデータであり、プロジェクト管理データベース２８に記憶されている。
工程リスト６０は、プロジェクトＩＤと、工程ＩＤと、工程名称と、工程の着手日と、工程の完了日とを記憶している。例えば、プロジェクトＩＤ「ＰＲＯ００１」と工程ＩＤ「００１」とで特定される工程の名称は、「企画着手」であり、工程「企画着手」の着手日は「２００３年２月１０日」であり、完了日は「２００３年２月１０日」であることが示されている。
【００２９】
なお、本図では示されていないが、括弧書きの完了日は、実際には作業は完了していないが完了するであろうと思われる予定日（以下、「完了予定日」という。）を示す。
プロジェクトＩＤ「ＰＲＯ００１」と工程ＩＤ「００３」とで特定される工程「構想設計着手」は「２００３年３月４日」に着手されているものの、完了日が空欄であるため、未だ仕掛かり中であることを示している。また、着手日および完了日が空欄の工程は、その工程が着手されていないことを示している。
【００３０】
図５は、各作業の進捗状況を管理するための作業リストの一例を示す図である。作業リスト７０は、２次元配列のデータであり、各作業の着手日および完了日を管理するためのデータであり、プロジェクト管理データベース２８に記憶されている。
作業リスト７０は、プロジェクトＩＤと、工程ＩＤと、作業ＩＤと、作業名（または文書名）と、作業の標準工数（単位は時間）と、作業の実績工数（単位は時間）と、作業の着手日と、作業の完了日と、各作業で作成される文書の文書ファイル保存先と、各作業の担当者名と、各作業の承認者名とを記憶している。
【００３１】
例えば、プロジェクトＩＤ「００１」と工程ＩＤ「００１」と作業ＩＤ「０１１」とで特定される作業の名称は、「顔合わせ会議」であり、作業「顔合わせ会議」の標準工数は「２．０時間」であるのに対し、実績工数は「２．５時間」であることが示されている。また、当該作業の着手日は「２００３年２月１０日」であり、完了日は「２００３年２月１０日」であることが示されている。さらに、この作業に対する文書は存在しないことが示されている。さらにまた、この作業の担当者は「田中」さんであり、この作業の承認者は「山本」さんであることが示されている。なお、この作業に対する文書が存在しないことは、「文書ファイル保存先」の欄が空欄であることにより分かる。
【００３２】
図４に示した工程リスト６０の場合と同様、括弧書きされた完了日は完了予定日を示している。例えば、プロジェクトＩＤ「ＰＲＯ００１」と工程ＩＤ「００３」と作業ＩＤ「０３３」とで特定される作業「要求事項整理表」は、「２００３年３月１８日」に着手されているものの、未完了であり、完了予定日が「２００３年３月１９日」であることを示している。これは、この作業の標準工数と着手日とから算出されるものである。すなわち、１日の就労時間を「８時間」と仮定した場合、標準工数が「１０時間」であるため、この作業には２日間かかる事が分かる。よって、完了予定日を「２００３年３月１９日」と定めている。ここで、完了予定日は括弧書きで示してある。
なお、作業リスト７０は、プロジェクトＩＤ「ＰＲＯ００１」以外のプロジェクトに対しても用意されているのは言うまでもない。
【００３３】
図６は、プロジェクト管理装置２２が実行する処理の流れを示すフローチャートである。プロジェクト管理装置２２のプロジェクトコード別工程管理部４４は、入力装置４２より、管理するプロジェクトのプロジェクトＩＤが入力されると、当該プロジェクトＩＤに対応する工程一覧を工程進捗管理部４６に伝える。ここでは、プロジェクトＩＤとして「ＰＲＯ００１」が入力されたものとして、以降の話を進める。すなわち、プロジェクトコード別工程管理部４４は、プロジェクト管理データベース２８に記憶されている工程リスト６０を参照することにより、プロジェクトＩＤ「ＰＲＯ００１」で示されるプロジェクトの工程一覧を知ることができる。工程進捗管理部４６は、工程一覧を進捗表示部５４を介して表示装置５６に表示する（Ｓ１）。
【００３４】
図７は、工程一覧の表示例を示す図である。同図に示すように、表示装置５６には、工程一覧８０が表示されている。工程一覧８０には、当該プロジェクトを構成する６つの工程がアイコン８２〜９２により表示されている。工程一覧８０の表示処理およびその表示内容については、後述する。
工程進捗管理部４６は、工程一覧８０に表示された工程のうちいずれかが選択されるまで待機する（Ｓ２）。工程の選択は、例えば、入力装置４２によりアイコン８２〜９２のうちいずれかを選択することにより行なわれる。
いずれかの工程が選択されると（Ｓ２でＹＥＳ）、作業進捗管理部４８は、選択された構成する作業一覧を進捗表示部５４を介して表示装置５６に表示する（Ｓ３）。
【００３５】
図８は、作業一覧の表示例を示す図である。同図に示すように、表示装置５６には、工程一覧８０とともに、選択された工程（ここでは「構想設計着手」）の作業一覧１００が表示されている。作業一覧１００の表示処理およびその表示内容については、後述する。
【００３６】
作業進捗管理部４８は、作業一覧１００に表示された作業のうちいずれかが選択されるまで待機する（Ｓ４）。作業の選択は入力装置４２を用いて行なわれる。例えば、作業が文書作成処理の場合には、作業一覧１００の「作業名／文書名」欄に表示された文書名を選択し、文書作成ボタン１０４を押下することにより行なわれる。作業が作成された文書の承認処理や、文書がない場合の作業に対する承認処理の場合には、「作業名／文書名」欄に表示された文書名または作業名を選択し、承認ボタン１０６を押下することにより行なわれる。
【００３７】
選択された作業が文書作成処理の場合には（Ｓ５でＹＥＳ）、文書管理部５０が文書作成処理（Ｓ６）を実行する。すなわち、文書管理部５０は、仕掛かり中の作業に対しては、作業リスト７０より当該作業に対応する文書ファイルの保存先を調べ、文書作成アプリケーション実行部５２は、そのファイルを開く処理を実行する。例えば、文書名として「要求事項整理表」が選択された場合には、作業リスト７０の「文書ファイル保存先」欄よりファイルの保存先が調べられ、「〜／ｐｒｏ００１／ｙ−ｓｅｉｒｉ．ｘｌｓ」というファイルが開かれる。
【００３８】
図９は、文書作成処理（Ｓ６）により開かれたファイルの一例を示す図である。文書作成アプリケーション実行部５２により、表計算ソフトウェアが実行され、上述のファイル１１０が表示装置５６に表示されている。このファイル１１０を開いてから閉じるまでの時間が実績時間として文書管理部５０により、管理され、作業リスト７０の「実績」欄が更新されていく。
【００３９】
また、文書管理部５０は、未着手の作業に対しては、入力装置４２を介してユーザが指示したアプリケーションを文書作成アプリケーション実行部５２に実行させ、当該アプリケーションの終了時に、ファイル名および実績時間を作業リスト７０に書き込む。
選択された作業が作業承認処理の場合には（Ｓ５でＮＯ）、文書管理部５０が作業承認処理（Ｓ７）を実行する。すなわち、文書管理部５０は、文書作成作業に対する承認の場合には、作業リスト７０より当該作業に対応するファイルの保存先を調べ、文書作成アプリケーション実行部５２にそのファイルを開かせる処理を実行させるとともに、文書作成アプリケーション実行部５２にそのファイルに対する承認を促す承認ウィンドウを表示させる。なお、文書管理部５０は、文書作成以外の作業に対する承認の場合には、承認ウィンドウのみを表示させる。
【００４０】
図１０は、作業承認処理（Ｓ７）により表示装置５６に表示されたファイル１１０および承認ウィンドウ１２０の一例を示す図である。承認ウィンドウ１２０には、承認者のユーザ名を入力するユーザ名入力欄１２２と、承認者のパスワードを入力するパスワード入力欄１２４と、入力を確定させるためのＯＫボタン１２６と、入力をキャンセルするためのキャンセルボタン１２８とが含まれる。ユーザ名入力欄１２２およびパスワード入力欄１２４に承認者のユーザ名およびパスワードがそれぞれ入力されＯＫボタン１２６が押された時点で、文書管理部５０がプロジェクト管理データベース２８に登録されている承認者のユーザ名とパスワードとが一致するか否かを判断する。一致する場合には、文書管理部５０は、作業リスト７０の承認者の欄１３２にユーザ名を入力するとともに、作業が承認された旨を作業進捗管理部４８に伝える。
【００４１】
作業進捗管理部４８は、作業が完了したか否かを判断する（Ｓ８）。すなわち、文書管理部５０より、作業が承認された旨の通知（以下、「作業完了通知」という。）を受け取ったか否かを判断する。作業完了通知を受け取った場合には、完了した作業の作業完了日を更新する（Ｓ９）。
【００４２】
図１１は、作業完了日更新後の作業リスト７０を示す図である。すなわち、作業「要求事項整理表」の完了日の欄に作業完了日「２００３／０３／２０」が入力されている。図５に示した作業リスト７０ではこの欄が括弧書き「（２００３／０３／１９）」であったが、図１１では括弧書きではなくなっている。これは、作業が完了したことを示している。また、予定よりも一日遅く作業が完了しているのは、実績時間が「２０時間」と標準工数「１０時間」よりも長かったためである。さらに、承認欄に作業承認処理（Ｓ７）で承認処理を行なった承認者のユーザ名「東山」が記入されている。
【００４３】
次に、工程進捗管理部４６は、選択されている工程のすべての作業が完了したか否かを調べる（Ｓ１０）。ここでは、作業リスト７０の工程ＩＤ「００３」に含まれる作業ＩＤ「０３１」〜「０３４」で示される４つの作業が完了しているか否かを調べるものとする。この場合、作業ＩＤ「０３４」の「完了日」の欄に作業完了日が記入されていないため、すべての作業が完了していないこととなる。
【００４４】
すべての作業が完了していれば（Ｓ１０でＹＥＳ）、工程進捗管理部４６は、それらの作業完了日のうち最も遅い日を工程完了日とし、工程リスト６０の選択されている工程の「完了日」欄に工程完了日を記入する（Ｓ１１）。
選択された作業が完了していない場合（Ｓ８でＮＯ）、すべての作業が完了していない場合（Ｓ１０でＮＯ）または工程完了日更新処理（Ｓ１１）の後、作業進捗管理部４８および工程進捗管理部４６は、作業完了日および工程完了日の予測をそれぞれ行なう（Ｓ１２）。
【００４５】
図１２は、作業完了日の予測方法を説明するための図である。作業リスト７０を参照すると、例えば、工程ＩＤ「００３」の作業ＩＤ「０３３」の作業「要求事項整理表」までが終了しており、作業ＩＤ「０３４」の作業「ＱＭ推進計画書」に「２００３年３月２１日」に着手したとする。１日の就労時間を「８時間」と仮定した場合、標準工数が「２４時間」であるため、この作業には３日間かかる事が分かる。よって、完了予定日を「２００３年３月２３日」と定めている。
【００４６】
図１３は、工程完了日の予測方法を説明するための図である。図１２に示した作業リスト７０では、工程ＩＤ「００３」のすべての作業について、作業完了日または作業完了予定日が定められている。このため、作業完了予定日のうち最も遅い日「２００３年３月２３日」が工程ＩＤ「００３」の工程「構想設計着手」の完了予定日となる。従って、図１３の完了日欄には、括弧書きで当該日「２００３年３月２３日」が記入されている。
【００４７】
以上のようにして、作業完了日および工程完了日の予測が行なわれた後、工程進捗管理部４６および作業進捗管理部４８は、進捗表示部５４を介して表示装置５６に工程一覧および作業一覧を表示する（Ｓ１３）。図１４は、工程一覧および作業一覧の表示例を示す図である。工程一覧８０および作業一覧１００の表示処理およびその内容については、後述する。
【００４８】
以上のようにして、工程一覧８０および作業一覧１００が同時に表示され、かつその作業完了日または作業完了予定日が表示装置５６に表示される。
次に、工程一覧表示処理（図６のＳ１）について詳細に説明する。図１５は、工程一覧表示処理のフローチャートである。ここでは、工程進捗管理部４６が図４に示した工程リスト６０を参照して、表示装置５６に工程一覧を表示する場合を例にとり説明する。また、この処理により表示される画面表示例は図７に示す通りである。
【００４９】
プロジェクトＩＤ「ＰＲＯ００１」が選択されているものとすると、工程進捗管理部４６は、そのプロジェクトに含まれる６つの工程のうち、すべての作業が完了している工程、すなわち工程リスト６０の完了日欄に工程完了日が入力されている工程を青色で表示する（Ｓ２１）。ここでは、工程リスト６０の工程「企画着手」と工程「企画決定」との完了日欄に工程完了日が入力されているため、これらの工程は、図７に示すように青色のアイコン８２および８４で表示される。
【００５０】
工程進捗管理部４６は、仕掛かり中の工程、すなわち工程リスト６０の着手日欄に工程着手日が入力されているが、完了日欄には工程完了日が入力されていないかまたは工程完了予定日が入力されている工程を黄色で表示する（Ｓ２２）。ここでは、工程リスト６０の工程「構想設計着手」の着手日欄に工程着手日が入力されているが完了日欄には工程完了日が入力されていない。このため、この工程は、図７に示すように黄色のアイコン８６で表示される。
【００５１】
工程進捗管理部４６は、作業に着手していない工程、すなわち工程リスト６０の着手日欄に工程着手日が入力されていない工程を赤色表示する（Ｓ２３）。ここでは、工程リスト６０の工程「構想設計」、工程「一次試作」および工程「量産試作」の着手日欄に工程着手日が入力されていない。このため、これらの工程は、図７に示すように赤色のアイコン８８〜９２で表示される。
【００５２】
工程進捗管理部４６は、工程ごとに、工程の着手日と完了日とを表示する（Ｓ２４）。すなわち、工程リスト６０の着手日および完了日の欄に括弧書きでない日付が格納されている場合には、それらを表示する。工程の着手日および完了日は、当該工程を示すアイコンの上下にそれぞれ表示される。例えば、工程「企画決定」の着手日「２００３／０２／１１」および完了日「２００３／０２／２８」は、工程「企画決定」に対応するアイコン８４の上位置９４および下位置９６にそれぞれ表示される。
【００５３】
次に、工程進捗管理部４６は、工程ごとに工程完了予定日を点滅表示させる（Ｓ２５）。すなわち、当該工程に対応するアイコンの下位置に工程完了予定日を点滅表示させる。工程完了予定日は、上述のように、例えば工程リスト６０の完了日欄に括弧書き表示された日付のことである。図４に示す工程リスト６０には、括弧書き表示された日付がないため、この処理（Ｓ２５）は実行されない。
【００５４】
以上のようにして、図７に示すような工程一覧８０が表示される。このように、工程の進み具合が色分け表示されているため、ユーザは、どの工程がすでに終了していて、どの工程が仕掛かり中で、どの工程が未着手かを直感的に理解することができる。また、作業が終了している工程については、当該工程に対応するアイコンの上下にその着手日と完了日とがそれぞれ表示される。このため、着手日および完了日を一目見ただけで知ることができる。さらに、仕掛かり中の工程については完了予定日が分かっている場合には、その日付が点滅表示される。このため、ユーザは、当該工程の完了予定日を一目見ただけで知ることができる。
【００５５】
次に、作業一覧表示処理（図６のＳ３）について詳細に説明する。図１６は、作業一覧表示処理のフローチャートである。ここでは、作業進捗管理部４８が図５に示した作業リスト７０を参照して、表示装置５６に作業一覧を表示する場合を例にとり説明する。また、この処理により表示される画面表示例は図８に示す通りである。
工程選択処理（図６のＳ２）で工程ＩＤ「００２」の工程「構想設計着手」が選択されたとすると、当該工程に対応するアイコン８６を他のアイコン（例えばアイコン８２）よりも太い枠で表示する（Ｓ８６）。
【００５６】
作業進捗管理部４８は、作業リスト７０のうち、当該工程ＩＤ「００２」に対応する「作業名／文書名」欄、「担当」欄、「実績」欄、「着手日」欄、「完了日」欄および「承認」欄に記載されたデータを表示装置５６に作業一覧１００として表示する（Ｓ２７）。すなわち、工程ＩＤ「００２」に対応する４つの「作業名／文書名」が作業一覧１００として表示されており、例えば、そのうちの１つとして、「新部品リスト」が表示されており、それに対応する「担当」、「実績」、「着手日」、「完了日」および「承認」として、「坂上」、「１９．０」、「２００３／０３／０４」、「２００３／０３／０６」および「東山」が表示されている。
【００５７】
作業進捗管理部４８は、作業リスト７０のうち、作業完了予定日を点滅表示させる（Ｓ２８）。すなわち、作業リスト７０において、「完了日」欄が括弧書きされている日付の場合には、その日付を点滅表示させる。作業リスト７０では、作業名／文書名「要求事項整理表」の「完了日」欄の日付が括弧書きされている。従って、表示装置５６の作業一覧１００には、作業完了予定日１０２が点滅表示されることになる。
【００５８】
以上のようにして、図８に示すような工程一覧８０および作業一覧１００が表示される。このように、工程一覧８０のうち選択されている工程のアイコン８６が太枠で強調表示されている。このため、ユーザは、どの工程が現在選択されているかを直感的に理解することができる。また、その工程に対応する作業一覧１００が工程一覧８０の下に合わせて表示される。従って、選択されている工程を構成する作業の進行状況が現在どのようになっているかを知ることができる。なお、作業の完了予定日が分かっている場合には、その日付が点滅表示される。このため、ユーザは、当該作業の完了予定日を一目見ただけで知ることができる。
【００５９】
次に、工程一覧・作業一覧表示処理（図６のＳ１３）について詳細に説明する。図１７は、当該処理のフローチャートである。ここでは、工程進捗管理部４６および作業進捗管理部４８が図１３に示した工程リスト６０および図１２に示した作業リスト７０をそれぞれ参照して、表示装置５６に工程一覧および作業一覧を表示する場合を例にとり説明する。また、この処理により表示される画面表示例は図１４に示す通りである。
【００６０】
工程一覧表示処理（Ｓ３１〜Ｓ３５）は、図１５を参照して説明した工程一覧表示処理（Ｓ２１〜Ｓ２５）と同様の処理である。また、作業一覧表示処理（Ｓ３６〜Ｓ３８）は、図１６を参照して説明した作業一覧表示処理（Ｓ２６〜Ｓ２８）と同様である。このため、それらの詳細な説明はここでは繰返さない。
工程一覧表示処理（Ｓ３１〜Ｓ３５）および作業一覧表示処理（Ｓ３６〜Ｓ３８）を実行することにより、図１４に示すような表示装置５６の表示結果が得られる。例えば、図１３に示した工程リスト６０に従うと、工程「企画着手」および工程「企画決定」が完了している。このため、それらの工程に対応するアイコン８２および８４は青色表示されている。また、アイコン８２および８４の各々の上下には、各アイコンに対応する工程の着手日および完了日がそれぞれ表示されている。また、工程「構想設計着手」は仕掛かり中であるため、その工程に対応するアイコン８６は黄色表示されている。また、アイコン８６の上位置には当該工程の着手日が表示されている。さらに、アイコン８６の下位置９８には、当該工程の完了予定日が点滅表示されている。さらに、工程「構想設計」、工程「一次試作」および工程「量産試作」は、未着手であるため、それらに対応するアイコン８８、９０および９２は、赤色表示されている。
【００６１】
現在、工程「構想設計着手」が選択されているため、当該工程に対応するアイコン８６が太枠で表示されている。また、その工程の作業一覧１００が工程一覧８０の下に表示されている。作業一覧１００の表示の仕方は図８に示したものと同様であり、図１２に示した作業リスト７０のうち、工程「構想設計着手」に対応する４つの「作業名／文書名」が作業一覧１００として表示されている。例えば、そのうちの１つとして、「ＱＭ推進計画書」が表示されており、それに対応する「担当」、「着手日」および「完了日」および「承認」として、「坂上」、「２００３／０３／２１」および「２００３／０３／２３」が表示されている。なお、この作業は着手されたばかりであり未完了であるため「実績」欄および「承認」欄には何も記載されていない。また、「完了日」欄１４２に作業完了予定日の日付が点滅表示されている。
【００６２】
以上のようにして、図１４に示すような工程一覧８０および作業一覧１００が表示される。このように、工程一覧８０のうち選択されている工程のアイコン８６が太枠で強調表示されている。このため、ユーザは、どの工程が現在選択されているかを直感的に理解することができる。また、その工程に対応する作業一覧１００が工程一覧８０の下に合わせて表示される。従って、選択されている工程を構成する作業の進行状況が現在どのようになっているかを知ることができる。また、工程の進み具合が色分け表示されているため、ユーザは、どの工程がすでに終了していて、どの工程が仕掛かり中で、どの工程が未着手かを直感的に理解することができる。また、作業が終了している工程については、当該工程に対応するアイコンの上下にその着手日と完了日とがそれぞれ表示される。このため、着手日および完了日を一目見ただけで知ることができる。さらに、仕掛かり中の工程については完了予定日が分かっている場合には、その日付が点滅表示される。このため、ユーザは、当該工程の完了予定日を一目見ただけで知ることができる。さらに、当該工程を構成する作業の完了予定日が分かっている場合には、その日付が点滅表示される。このため、ユーザは、当該作業の完了予定日を一目見ただけで知ることができる。
【００６３】
以上説明したように本実施の形態に係るプロジェクト管理システムによると、画面上に工程の一覧がアイコン表示されるとともに、作業が終了している工程については、当該アイコンの下位置に工程完了日が合わせて表示される。したがって、ユーザは、工程の作業がすべて終了しているか否かを直感的に認識することができる。
また、工程の進み具合に応じて工程に対応するアイコンの表示色を異ならせて表示させるようにしている。このため、ユーザは作業の進み具合を直感的に認識することができる。
【００６４】
さらに、現在選択されている工程が太枠表示され、その工程を構成する作業の進行状況が一覧表示される。このため、ユーザは、選択されている工程を構成する作業の進行状況が現在どのようになっているかを知ることができる。
なお、工程完了予定日または作業完了予定日が分かっている場合には、その日付が点滅表示される。このため、ユーザは、どの工程または作業が完了直前かを知ることができ、かつその完了予定日がいつであるかを知ることができる。
【００６５】
なお、本発明は上述した実施の形態に限定されるものではない。例えば、工程の進捗状況を２色で表現するようにしてもよい。一例として、仕掛かり中の工程のアイコンとそれ以外の工程のアイコンとを異なる色で表示するようにしてもよい。また、その２色は補色の関係にあるようにしてもよい。このような関係の２色を使用することにより、仕掛かり中の工程とそれ以外の工程とを区別しやすくすることが可能になる。さらに、色の違い以外で工程の進捗状況の違いを表現するようにしてもよい。例えば、進捗状況に応じて、アイコンの背景の模様を異ならせるようにしてもよいし、仕掛かり中の工程のアイコンを点滅表示させ、それ以外の工程のアイコンは点滅表示させないようにしてもよい。
【００６６】
また、作業完了日の予測（図６のＳ１２）を標準工数のみから行なうのではなく、同一の作業の過去の実績および当該作業の標準工数をも加味して行なうようにしてもよい。例えば、図１１に示すように工程ＩＤ「００３」と工程ＩＤ「００４」とでは、同じ作業ＩＤ「０３２」の作業「新項目対策一覧表」を行なっている。これは、同一の作業を工程ＩＤ「００３」および工程ＩＤ「００４」の工程で行なっていることを示している。このため、工程ＩＤ「００４」の作業「新項目対策一覧表」の完了予定日を予測する際に、工程ＩＤ「００３」の同一作業の標準工数（＝３６．０時間）および実績（＝５４．０時間）を加味する。例えば、工程ＩＤ「００４」の作業「新項目対策一覧表」の標準工数は１６．０時間であるが、工程ＩＤ「００３」の工程では、標準工数よりも１．５（＝５４．０／３６．０）倍の時間がかかっている。このため、工程ＩＤ「００４」の作業「新項目対策一覧表」の完了予定日を予測する際には、標準工数「１６．０時間」を１．５倍し、当該作業を完了させるためには、２４．０時間（＝１６．０×１．５）かかるものとして完了予定日を予測する。このように、過去の作業の実績から標準工数を補正することにより、より精度の高い完了予定日を予測することが可能になる。
【００６７】
さらに、工程または作業の完了予定日は、点滅表示させるようにしたが、完了日と異なる表現方法であればどのような方法を用いても良く。例えば、完了日とは異なる色で表示したり、括弧書きで表示したりするようにしてもよい。
また、上述した工程および作業は一例に過ぎず、プロジェクトの特性ごとに、工程数、工程の名称、各工程を構成する作業数、作業の名称等は可変であるのはいうまでもない。
【産業上の利用可能性】
【００６８】
本発明は、プロジェクトの進捗管理に適用でき、特に製品製造プロジェクトや、仕事、学習などの進捗管理等に適用できる。
【図面の簡単な説明】
【００６９】
【図１】プロジェクト管理システムのハードウェア構成を示す図である。
【図２】プロジェクト管理装置の構成を示す機能ブロック図である。
【図３】プロジェクト管理装置において管理されるプロジェクトについて説明するための図である。
【図４】各工程の進捗状況を管理するための工程リストの一例を示す図である。
【図５】各作業の進捗状況を管理するための作業リストの一例を示す図である。
【図６】プロジェクト管理装置が実行する処理の流れを示すフローチャートである。
【図７】工程一覧の表示例を示す図である。
【図８】作業一覧の表示例を示す図である。
【図９】文書作成処理により開かれたファイルの一例を示す図である。
【図１０】作業承認処理により表示装置に表示されたファイルおよび承認ウィンドウの一例を示す図である。
【図１１】作業完了日更新後の作業リストを示す図である。
【図１２】作業完了日の予測方法を説明するための図である。
【図１３】工程完了日の予測方法を説明するための図である。
【図１４】工程一覧および作業一覧の表示例を示す図である。
【図１５】工程一覧表示処理のフローチャートである。
【図１６】作業一覧表示処理のフローチャートである。
【図１７】程一覧・作業一覧表示処理のフローチャートである。
【符号の説明】
【００７０】
２０  プロジェクト管理システム
２２  プロジェクト管理装置
２４  端末装置
２６  ネットワーク
２８  プロジェクト管理データベース
３０  文書管理データベース
４２  入力装置
４４  プロジェクトコード別工程管理部
４６  工程進捗管理部
４８  作業進捗管理部
５０  文書管理部
５２  文書作成アプリケーション実行部
５４  進捗表示部
５６  表示装置
６０  工程リスト
７０  作業リスト
【図１】
2005148869.tif 000003
【図２】
2005148869.tif 000004
【図３】
2005148869.tif 000005
【図４】
2005148869.tif 000006
【図５】
2005148869.tif 000007
【図６】
2005148869.tif 000008
【図７】
2005148869.tif 000009
【図８】
2005148869.tif 000010
【図９】
2005148869.tif 000011
【図１０】
2005148869.tif 000012
【図１１】
2005148869.tif 000013
【図１２】
2005148869.tif 000014
【図１３】
2005148869.tif 000015
【図１４】
2005148869.tif 000016
【図１５】
2005148869.tif 000017
【図１６】
2005148869.tif 000018
【図１７】
2005148869.tif 000019